(57)【要約】【課題】容易に再利用できる型枠や中子を用いて、内部の中空部の断面が長手方向に沿って一様でない樹脂製中空筒体を製造する。【解決手段】型枠１０内に未硬化の樹脂を注入して硬化させる工程を含み、その内部に長手方向に沿って断面が一様でない中空部４，５を有する樹脂製中空筒体３１，４１の製造方法において、筒軸回りに複数の部材に分割された分割成形体１’を成形する工程と、分割成形体１’を筒軸回りに接合して筒状の接合成形体１”とする工程と、接合成形体１”の外周に外周樹脂成形部３０，４０を成形する工程とを含む樹脂製中空筒体３１，４１の製造方法とした。中空部４，５は樹脂製中空筒体３１，４１の長手方向端部に臨み且つ長手方向端部寄りの中空部５よりも長手方向中央部寄りの中空部４が大径である。【選択図】図４
2019077156.tif 000002
【特許請求の範囲】
【請求項１】
型枠（１０）内に中子（２０）を配置する工程と、
前記型枠（１０）と前記中子（２０）との間に未硬化の樹脂を注入して硬化させる工程と、
を含み、その内部に長手方向に沿って断面が一様でない中空部（２，３）を有する樹脂製中空筒体（１）の製造方法において、
前記中空部（２，３）は前記樹脂製中空筒体（１）の長手方向端部に臨み且つ長手方向中央部寄りの前記中空部（２）よりも長手方向端部寄りの前記中空部（３）が大径であり、
前記中子（２０）は前記型枠（１０）の長手方向端部から前記型枠（１０）内に挿入される
樹脂製中空筒体（１）の製造方法。
【請求項２】
型枠（１０）内に中子（２０）を配置する工程と、
前記型枠（１０）と前記中子（２０）との間に未硬化の樹脂を注入して硬化させる工程と、
を含み、その内部に長手方向に沿って断面が一様でない中空部（４，５）を有する樹脂製中空筒体（１）の製造方法において、
前記中空部（４，５）は前記樹脂製中空筒体（１）の長手方向端部に臨み且つ長手方向端部寄りの前記中空部（５）よりも長手方向中央部寄りの前記中空部（４）が大径であり、
前記中子（２０）は前記型枠（１０）の長手方向端部から前記型枠（１０）内に挿入され、長手方向中央部寄りの前記中空部（４）に対応する前記中子（２０）は、樹脂が硬化した後の前記樹脂製中空筒体（１）の長手方向端部から取り出し可能に分割されている
樹脂製中空筒体（１）の製造方法。
【請求項３】
型枠（１０）内に未硬化の樹脂を注入して硬化させる工程、
を含み、その内部に長手方向に沿って断面が一様でない中空部（４，５）を有する樹脂製中空筒体（３１，４１）の製造方法において、
筒軸回りに複数の部材に分割された分割成形体（１’）を成形する工程と、
前記分割成形体（１’）を筒軸回りに接合して筒状の接合成形体（１”）とする工程と、
前記接合成形体（１”）の外周に外周樹脂成形部（３０，４０）を成形する工程と、
を含む樹脂製中空筒体（３１，４１）の製造方法。
【請求項４】
前記中空部（４，５）は前記樹脂製中空筒体（３１，４１）の長手方向端部に臨み且つ長手方向端部寄りの前記中空部（５）よりも長手方向中央部寄りの前記中空部（４）が大径である
請求項３に記載の樹脂製中空筒体（３１，４１）の製造方法。
【請求項５】
前記未硬化の樹脂が硬化して前記中子（２０）を取り出した後の前記樹脂製中空筒体（１）の外周に外周樹脂成形部（３０，４０）を成形する工程、
を含む請求項１又は２に記載の樹脂製中空筒体（１）の製造方法。
【請求項６】
前記外周樹脂成形部（３０，４０）はシートワインディング又はフィラメントワインディングによって成形される
請求項３から５のいずれか一つに記載の樹脂製中空筒体（１，３１，４１）の製造方法。
【請求項７】
前記外周樹脂成形部（３０，４０）の外周に金属部（５０）を一体化させる工程、
を含む請求項３から６のいずれか一つに記載の樹脂製中空筒体（５１）の製造方法。
【発明の詳細な説明】
【技術分野】
【０００１】
この発明は、樹脂製中空筒体の製造方法に関し、特に、内部の中空部の断面が長手方向に沿って変化する部分を有する樹脂製中空筒体の製造方法に関するものである。
【背景技術】
【０００２】
機械用部品や日用品、その他種々の用途の部材として、樹脂製中空筒体が用いられる。この樹脂製中空筒体は、長手状の部材であって、その内部に長手方向に沿って伸びる中空部を備えた筒状部材である。このような樹脂製中空筒体の製造方法に関し、例えば、特許文献１に記載のものがある。
【０００３】
特許文献１の技術では、押出成形機によって形成される中空筒体の構造を、フッ素樹脂からなる内層チューブと、ポリウレタンエラストマーからなる外層チューブの二層構造としている。また、その二層構造の互いの接合面に、長手方向へ伸びる係止用凸条と係止用凹条とを備えて、内層チューブと外層チューブの接合強度が高められている。
【０００４】
樹脂製中空筒体の素材については、特許文献１では、内層チューブにフッ素樹脂を、外層チューブにポリウレタンエラストマーを採用しているが、この種の樹脂製中空筒体では、その用途や仕様に応じて種々の素材を採用する。例えば、軽量で高比強度な部材とするために、特許文献２に記載のように、その構成素材として繊維強化樹脂（ＦＲＰ）等を用いる場合もある。また、特許文献３に記載のように、繊維強化樹脂と金属とを併用した樹脂製中空筒体もある。
【０００５】
以下、樹脂のみで構成された中空筒体とともに、樹脂と樹脂以外の材料（例えば、繊維や金属等）の両方を用いた中空筒体を、樹脂製中空筒体と総称する。
【先行技術文献】
【特許文献】
【０００６】
【特許文献１】特開平８−１０３９６５号公報
【特許文献２】特開２００９−９０５１４号公報
【特許文献３】特開２００９−２５７４８３号公報
【発明の概要】
【発明が解決しようとする課題】
【０００７】
上記特許文献１，３の技術では、内部の中空部は長手方向に沿って同一の断面で連続している。しかし、用途や仕様によっては、例えば、特許文献２に記載のように、内部の中空部の断面が長手方向に沿って一様でない製品が必要な場合もある。
【０００８】
このように、内部の中空部の断面が長手方向に沿って一様でない場合、特許文献２では樹脂成形時において、部材の内部に中空部を形成するために、型枠内に溶解可能な素材からなる中子を配置している。樹脂が硬化した後に中子を溶解させることで、その中子を除去できる。
【０００９】
しかし、このような中子を溶解させる手法では、中子の再利用が困難である。また、設備によっては、溶解させた中子の廃棄処理が困難な場合もある。
【００１０】
そこで、この発明の課題は、容易に再利用できる型枠や中子を用いて、内部の中空部の断面が長手方向に沿って一様でない樹脂製中空筒体を製造することである。
【課題を解決するための手段】
【００１１】
上記の課題を解決するために、この発明は、型枠内に中子を配置する工程と、前記型枠と前記中子との間に未硬化の樹脂を注入して硬化させる工程と、を含み、その内部に長手方向に沿って断面が一様でない中空部を有する樹脂製中空筒体の製造方法において、前記中空部は前記樹脂製中空筒体の長手方向端部に臨み且つ長手方向中央部寄りの前記中空部よりも長手方向端部寄りの前記中空部が大径であり、前記中子は前記型枠の長手方向端部から前記型枠内に挿入される樹脂製中空筒体の製造方法を採用した。
【００１２】
また、この発明は、型枠内に中子を配置する工程と、前記型枠と前記中子との間に未硬化の樹脂を注入して硬化させる工程と、を含み、その内部に長手方向に沿って断面が一様でない中空部を有する樹脂製中空筒体の製造方法において、前記中空部は前記樹脂製中空筒体の長手方向端部に臨み且つ長手方向端部寄りの前記中空部よりも長手方向中央部寄りの前記中空部が大径であり、前記中子は前記型枠の長手方向端部から前記型枠内に挿入され、長手方向中央部寄りの前記中空部に対応する前記中子は、樹脂が硬化した後の前記樹脂製中空筒体の長手方向端部から取り出し可能に分割されている樹脂製中空筒体の製造方法を採用した。
【００１３】
さらに、この発明は、型枠内に未硬化の樹脂を注入して硬化させる工程、を含み、その内部に長手方向に沿って断面が一様でない中空部を有する樹脂製中空筒体の製造方法において、筒軸回りに複数の部材に分割された分割成形体を成形する工程と、前記分割成形体を筒軸回りに接合して筒状の接合成形体とする工程と、前記接合成形体の外周に外周樹脂成形部を成形する工程と、を含む樹脂製中空筒体の製造方法を採用した。
【００１４】
このとき、前記中空部は前記樹脂製中空筒体の長手方向端部に臨み且つ長手方向端部寄りの前記中空部よりも長手方向中央部寄りの前記中空部が大径である構成とすることができる。
【００１５】
なお、前述の型枠内に中子を配置する態様においても、前記未硬化の樹脂が硬化して前記中子を取り出した後の前記樹脂製中空筒体の外周に外周樹脂成形部を成形する工程を含む構成を採用することができる。
【００１６】
ここで、前記外周樹脂成形部はシートワインディング又はフィラメントワインディングによって成形される構成を採用することができる。
【００１７】
また、前記外周樹脂成形部の外周に金属部を一体化させる工程を含む構成を採用することができる。
【発明の効果】
【００１８】
この発明は、容易に再利用できる型枠や中子を用いて、内部の中空部の断面が長手方向に沿って一様でない樹脂製中空筒体を製造することができる。
【図面の簡単な説明】
【００１９】
【図１】（ａ）（ｂ）は、この発明の第一の実施形態の樹脂製中空筒体の製造方法を示す説明図
【図２】（ａ）〜（ｃ）は、この発明の第二の実施形態の樹脂製中空筒体の製造方法を示す説明図
【図３】（ａ）〜（ｃ）は、この発明の第三の実施形態の樹脂製中空筒体の製造方法の前段を示す説明図
【図４】（ａ）〜（ｄ）は、この発明の第三の実施形態の樹脂製中空筒体の製造方法の後段を示す説明図
【図５】この発明の第三の実施形態の樹脂製中空筒体の製造方法で製造された樹脂製中空筒体の分解斜視図
【図６】この発明の第四の実施形態の樹脂製中空筒体の製造方法で製造された樹脂製中空筒体の断面図
【発明を実施するための形態】
【００２０】
この発明の実施形態を図面に基づいて説明する。以下の各実施形態は、内部に形成される中空部２，３；４，５の断面が、長手方向（筒軸方向）に沿って変化する部分を有する樹脂製中空筒体１，３１，４１，５１の製造方法に関するものである。この実施形態の樹脂製中空筒体１，３１，４１，５１は、回転力伝達用に用いられる機械用部品（シャフト）や、あるいは、シート状の部材を巻回する巻芯等に使用されることを想定しているが、この実施形態の用途には限定されず、この発明は、各種の機械用部品や日用品、その他種々の用途の部材、及びその製造に用いることができる。
【００２１】
（第一の実施形態）
図１にこの発明の第一の実施形態を示す。この第一の実施形態で製造される樹脂製中空筒体１は、長手方向に沿って全長に亘って中空部２，３を有し、その断面は、長手方向に沿って変化する部分を備えて、長手方向に沿って断面が一様でない構成となっている。特に、長手方向中央部寄りの中空部２は相対的に小径の中央小径中空部（以下、中央小径中空部２と称する）であり、また、長手方向端部寄りの中空部３は相対的に大径の端部大径中空部（以下、端部大径中空部３と称する）となっている。
【００２２】
中央小径中空部２と端部大径中空部３は長手方向に連続しており、端部大径中空部３は樹脂製中空筒体１の長手方向端部に臨んでいる。また、この実施形態では、中央小径中空部２と端部大径中空部３はそれぞれ断面円形であり、それぞれの領域において長手方向全長に亘って同一の円形断面で連続している。
【００２３】
ただし、中央小径中空部２と端部大径中空部３の断面形状を円形以外で構成することもでき、例えば、中央小径中空部２や端部大径中空部３の断面形状を、それぞれ矩形や多角形とすることもできる。これは、後述の他の実施形態においても同様である。
【００２４】
第一の実施形態の樹脂製中空筒体１の製造方法は、以下の工程から構成される。
【００２５】
まず、型枠１０内に中子２０を配置する工程と、型枠１０と中子２０との間に未硬化の樹脂を注入して硬化させる工程と、樹脂が硬化した後の樹脂製中空筒体１の長手方向端部から中子２０を取り出す工程と、樹脂製中空筒体１を型枠１０から取り出す工程である。
【００２６】
型枠１０内への樹脂の注入に関しては、通常の射出成形法によるほか、例えば、レジントランスファーモールディング法、シートモールディングコンパウンド法、バルクモールディングコンパウンド法等、型枠１０を用いる種々の手法を採用することができる。これは、後述の各実施形態においても同様である。
【００２７】
図１に示すように、樹脂製中空筒体１の外周１ａは円筒面であるので、型枠１０の内周もそれに対応する円筒面となっている。樹脂製中空筒体１の内周１ｂ、すなわち、内部の中空部２，３の内面は、中央小径中空部２と端部大径中空部３の内面がそれぞれ円筒面であるので、中子２０の外周もそれに対応する円筒面となっている。
【００２８】
中子２０は、長手方向一方側の第一中子２１と、長手方向他方側の第二中子２２とで構成される。第一中子２１は、長手方向一方側の端部大径中空部３と中央小径中空部２の長手方向中ほどまでに対応する。また、第二中子２２は、長手方向他方側の端部大径中空部３と中央小径中空部２の長手方向中ほどまでに対応する。第一中子２１の端面と第二中子２２の端面は面接触し、その接触面間には樹脂が侵入しにくいようになっている。
【００２９】
このため、第一中子２１と第二中子２２は、それぞれ、中央小径中空部２に対応する小径部２１ｂ、２２ｂと、端部大径中空部３に対応する大径部２１ａ，２２ａとを備えた構成となり、大径部２１ａ，２２ａが小径部２１ｂ、２２ｂよりも長手方向外側である。したがって、第一中子２１と第二中子２２は、型枠１０の長手方向端部から型枠１０内に挿入され、型枠１０と中子２０（第一中子２１及び第二中子２２）との間の空間に注入した樹脂が硬化した後、樹脂製中空筒体１の長手方向端部から外部へ取り出し可能である。
【００３０】
なお、型枠１０からの樹脂製中空筒体１の取り出しは、樹脂製中空筒体１からの中子２０の取り外し前でもよいし、中子２０の取り外し後でもよい。この点も、後述の他の実施形態において同様である。
【００３１】
この実施形態において、中央小径中空部２や端部大径中空部３の断面形状が、長手方向に沿って途中で変化する構成とすることもできる。ただし、中央小径中空部２や端部大径中空部３の断面形状が、長手方向に沿って途中で変化する場合、その断面は、長手方向中央部寄りよりも長手方向端部寄りの方が大断面であることが望ましく、中子２０が、樹脂が硬化した後の樹脂製中空筒体１の長手方向端部から取り出し可能である必要がある。
【００３２】
（第二の実施形態）
図２にこの発明の第二の実施形態を示す。この第二の実施形態で製造される樹脂製中空筒体１は、長手方向に沿って全長に亘って中空部４，５を有し、その断面は、長手方向に沿って変化する部分を備えて、長手方向に沿って断面が一様でない構成となっている点は前述の実施形態と同様である。そして、長手方向中央部寄りの中空部４は相対的に大径の中央大径中空部（以下、中央大径中空部４と称する）であり、また、長手方向端部寄りの中空部５は相対的に小径の端部小径中空部（以下、端部小径中空部５と称する）となっている。
【００３３】
中央大径中空部４と端部小径中空部５は長手方向に連続しており、端部小径中空部５は樹脂製中空筒体１の長手方向端部に臨んでいる。また、この実施形態では、中央大径中空部４と端部小径中空部５はそれぞれ断面円形であり、それぞれの領域において長手方向全長に亘って同一の円形断面で連続している。
【００３４】
第二の実施形態の樹脂製中空筒体１の製造方法は、以下の工程から構成される。
【００３５】
まず、型枠１０内に中子２０を配置する工程と、型枠１０と中子２０との間に未硬化の樹脂を注入して硬化させる工程と、樹脂が硬化した後の樹脂製中空筒体１の長手方向端部から中子２０を取り出す工程と、樹脂製中空筒体１を型枠１０から取り出す工程である。
【００３６】
図２に示すように、樹脂製中空筒体１の外周１ａは円筒面であるので、型枠１０の内周もそれに対応する円筒面となっている。樹脂製中空筒体１の内周１ｂ、すなわち、内部の中空部４，５の内面は、中央大径中空部４と端部小径中空部５の内面がそれぞれ円筒面であるので、中子２０の外周もそれに対応する円筒面となっている。
【００３７】
中子２０は、長手方向全長に亘る軸状の第三中子２３と、長手方向中央部付近において第三中子２３の外周側に配置される第四中子２４とで構成される。第三中子２３は、長手方向両側の端部小径中空部５に対応し、且つ、長手方向中央部付近の第四中子２４を内径側から保持する機能を発揮する。また、第四中子２４は、長手方向中央部付近の中央大径中空部４に対応する。第三中子２３の外面と第四中子２４の内面は面接触し、その接触面には樹脂が侵入しにくいようになっている。
【００３８】
第四中子２４は、図２（ｃ）に示すように、筒軸回りに複数の部材に分割されており、その分割された部材（以下、分割第四中子２４’と称する）を筒軸回りに隙間無く環状に配置することで、円環状の第四中子２４を構成するようになっている。
【００３９】
これにより、第三中子２３及び第四中子２４は型枠１０の長手方向端部から型枠１０内に挿入され、型枠１０と中子２０（第三中子２３及び第四中子２４）との間の空間に注入した樹脂が硬化した後、樹脂製中空筒体１の長手方向端部から取り出し可能である。すなわち、第三中子２３を樹脂製中空筒体１の長手方向端部から取り出した後、第四中子２４を構成する分割第四中子２４’群を、複数回に分けて順次長手方向端部から取り出すことで、中子２０の除去が可能である。このとき、分割第四中子２４’を一つずつ取り出してもよいし、可能であれば複数個ずつ取り出してもよい。
【００４０】
このように、第四中子２４は、樹脂が硬化した後の樹脂製中空筒体１の長手方向端部から取り出し可能に分割されているので、長手方向中央に大径の中空部を備える樹脂製中空筒体１に対応できる。第四中子２４の分割数は自由であるが、分割第四中子２４’の断面が中空部５の最小内径よりも小さいことが必要である。
【００４１】
なお、前述の第一の実施形態と同様に、この第二の実施形態においても、中央大径中空部４や端部小径中空部５の断面形状が、長手方向に沿って途中で変化する構成とすることもできる。ただし、中央大径中空部４や端部小径中空部５の断面形状が、長手方向に沿って途中で変化する場合、その断面は、長手方向中央部寄りよりも長手方向端部寄りの方が大断面であることが望ましく、中子２０が、樹脂が硬化した後の樹脂製中空筒体１の長手方向端部から取り出し可能である必要がある。
【００４２】
上記第二の実施形態では、第三中子２３を、１本の連続する軸状部材で構成したが、この第三中子２３を長手方向に沿って複数の部材に分割してもよい。
【００４３】
（第三の実施形態）
図３〜図５に、この発明の第三の実施形態を示す。この第三の実施形態で製造される樹脂製中空筒体４１は、筒軸回りに複数の部材に分割された分割成形体１’を成形し、その分割成形体１’を筒軸回りに接合して筒状の接合成形体１”とするものである。さらに、この筒状の接合成形体１”の外周には樹脂からなる外周樹脂成形部３０，４０が形成されて、これにより樹脂製中空筒体４１の完成品が形成される。この樹脂製中空筒体４１の完成品を、図５に示す。
【００４４】
図５に示すように、樹脂で構成される筒状の接合成形体１”は、上記の各実施形態と同じく、長手方向に沿って全長に亘って中空部４，５を有し、その断面は、長手方向に沿って変化する部分を備えて、長手方向に沿って断面が一様でない構成となっている。特に、長手方向中央部寄りの中空部４は相対的に大径の中央大径中空部４であり、また、長手方向端部寄りの中空部５は相対的に小径の端部小径中空部５となっている。
【００４５】
第三の実施形態の樹脂製中空筒体４１の製造方法は、まず、型枠１０内に未硬化の樹脂を注入して硬化させる工程を有する。この工程では、筒軸回りに複数の部材に分割された分割成形体１’を成形する。ここでは、筒軸回りに分割された２つの分割成形体１’を成形する。分割成形体１’は、筒軸回りの中心角１８０°を成す半円筒状部材である。
【００４６】
図４（ａ）（ｂ）に示すように、分割成形体１’や接合成形体１”の外周は円筒面であるので、型枠１０の内周もそれに対応する円筒状面となっている。ただし、中央大径中空部４の内面は端部小径中空部５の内面よりも大径であるので、図３（ｃ）に示すように、上下に分割された型枠１０ａ，１０ｂのうち、下方の型枠１０ｂの中央大径中空部４に相当する部分（符号１１参照）は、端部小径中空部５に相当する部分（符号１２参照）よりも突出した形状となっている。なお、上方の型枠１０ａの内面（符号１３参照）は、全長に亘って同一径の円筒状面である。
【００４７】
続いて、分割成形体１’を筒軸回りに接合して筒状の接合成形体１”とする工程と、接合成形体１”の外周に外周樹脂成形部３０を成形する工程によって、完成品の前段階となる樹脂製中空筒体３１は成形される。さらに、樹脂製中空筒体３１の外周樹脂成形部３０の外周に、別の外周樹脂成形部４０を成形する工程によって、完成品である樹脂製中空筒体４１が完成する。
【００４８】
図４（ａ）は、半円筒状の分割成形体１’を示しており、図４（ｂ）は、分割成形体１’を筒軸回りに接合して形成した筒状の接合成形体１”である。
【００４９】
複数の分割成形体１’を接合して筒状の接合成形体１”を形成した後、図４（ｃ）に示すように、その接合成形体１”の外周に外周樹脂成形部３０が成形され、完成品の前段階となる樹脂製中空筒体３１が完成する。
【００５０】
分割成形体１’同士の接合方法としては、接着や溶着等の周知の手法を採用することもできるが、これらの手法に代えて又は加えて外周樹脂成形部３０を成形することにより、その接合がより強固となる。また、その外周樹脂成形部３０の成形が、接合成形体１”の全周であれば、分割成形体１’同士の接合がさらに強固なものとなる。
【００５１】
この実施形態では、外周樹脂成形部３０は、芯材である接合成形体１”の外周全周全域に形成されているが、外周樹脂成形部３０は、芯材の外周の一部領域とする場合もある。例えば、分割成形体１’同士の接合強度が充分である場合、あるいは、分割成形体１’を用いず接合の必要がない場合は、外周樹脂成形部３０はその芯材の全周全域に限らず、芯材の一部領域の全周、あるいは、筒軸回りの一部方位のみであってもよい。
【００５２】
外周樹脂成形部３０は、未硬化の樹脂を含浸させた繊維を芯材の外周に巻回して繊維強化樹脂層を形成する各種ワインディング法、例えば、シートワインディング又はフィラメントワインディング等によって成形することができる。また、外周樹脂成形部３０の成形方法としては、それ以外にも、湿式成形、乾式成形の各種手法を採用できる。外周樹脂成形部３０を、繊維を用いない樹脂層として成形することもできる。
【００５３】
シートワインディング法は、繊維に樹脂を含浸させたシート状の材料（プリプレグ）を用い、そのシート状の材料を芯材の外周に巻きつけて部材を成形する。ここで、接合成形体１”が芯材に該当する。フィラメントワインディング法は、樹脂を含浸させた帯状の材料を、回転する芯材（マンドレル）の外周にテンションを掛けながら、所定の角度で螺旋状に巻回して部材を成形する。このように、未硬化の樹脂を含浸させた繊維を芯材の外周に巻回するワインディング法であれば、分割成形体１’の接合がより強固となる。
【００５４】
さらに、この実施形態では、上記のように成形される外周樹脂成形部３０の外周に、別の外周樹脂成形部４０を成形する工程を有している。以下、最初に成形される外周樹脂成形部３０を第一の外周樹脂成形部３０と称し、その後に成形される別の外周樹脂成形部４０を第二の外周樹脂成形部４０と称する。
【００５５】
第二の外周樹脂成形部４０は、図４（ｄ）に示すように、第一の外周樹脂成形部３０が成形された樹脂製中空筒体３１の外周に、別の型枠４２（以下、第二型枠４２と称する。）を配置し、その第二型枠４２の本体部４２ａに形成した凹部４２ｂの内面と樹脂製中空筒体３１の外周との間の空間に、未硬化の樹脂を注入してそれを硬化させて成形される。これにより、図５に示すように、完成品の樹脂製中空筒体４１が成形される。なお、図５の樹脂製中空筒体４１は、内部の中空部の形状が、図４の樹脂製中空筒体３１の中空部４，５の形状と若干異なったものとなっているが、中空部２，３；４，５の形状、大きさ、配置等は、用途や仕様に応じて自由に設定できる。
【００５６】
この第二の外周樹脂成形部４０は、樹脂製中空筒体３１の外周の一部に成形されていてもよいし、樹脂製中空筒体３１の外周の全部に成形されていてもよい。また、第一の外周樹脂成形部３０を省略して、第二の外周樹脂成形部４０を、接合成形体１”の外周に直接成形してもよい。
【００５７】
第二の外周樹脂成形部４０の形状、大きさは、その用途や仕様に応じて自由に設定できる。この実施形態では、第二の外周樹脂成形部４０は、図５（ａ）に示すように、円筒部４０ａの長手方向中央に、全周に亘って突出する突条４０ｂを設けているが、例えば、突条４０ｂを省略して円筒部４０ａのみとしてもよいし、円筒部４０ａを省略して突条４０ｂのみとしてもよい。また、第二の外周樹脂成形部４０の成形を省略して、第一の外周樹脂成形部３０が成形された段階の樹脂製中空筒体３１を、完成品とする場合も考えられる。
【００５８】
上記の例では、２つの分割成形体１’を筒軸回りに接合して筒状の接合成形体１”を構成したが、この分割成形体１’の分割数は任意に設定できる。例えば、３つ、あるいは４つ以上の分割成形体１’を用いて、筒状の接合成形体１”を形成してもよい。例えば、分割成形体１’の分割数を３つとする場合は分割成形体１’を１２０°毎、分割成形体１’の分割数を４つとする場合は分割成形体１’を９０°毎といったように、筒軸回りの等分方位に分割することが望ましい。
【００５９】
また、上記の例では、中空部４，５として、樹脂製中空筒体３１，４１の長手方向端部寄りの中空部５よりも長手方向中央部寄りの中空部４が大径である構成としたが、逆に、樹脂製中空筒体３１，４１の長手方向端部寄りの中空部５よりも長手方向中央部寄りの中空部４が小径である構成においても、この外周樹脂成形部３０，４０、あるいは、外周樹脂成形部３０，４０を形成する工程を備えた構成を適用できる。
【００６０】
また、外周樹脂成形部３０，４０を成形する前段階の芯材が、分割成形体１’を接合した筒状の接合成形体１”ではなく、第一の実施形態や第二の実施形態のような分割されていない一体の樹脂製中空筒体１とした場合にも、この外周樹脂成形部３０，４０、あるいは、外周樹脂成形部３０，４０を形成する工程を備えた構成を適用できる。
【００６１】
（第四の実施形態）
図６に、この発明の第四の実施形態を示す。この第四の実施形態で製造される樹脂製中空筒体５１は、前述の第三の実施形態における外周樹脂成形部３０，４０の外周に、金属部５０を一体化させたものである。
【００６２】
すなわち、外周樹脂成形部３０，４０を成形する工程の後段に、金属部５０を一体化させる工程を行う。あるいは、外周樹脂成形部３０，４０を成形する工程と、金属部５０を一体化させる工程とが共通であり、外周樹脂成形部３０，４０の成形と金属部５０の一体化を同時に行うこともできる。金属部５０の一体化は、接着や溶着等の周知の手法を採用できるが、外周樹脂成形部３０，４０を成形する工程と金属部５０を一体化させる工程とを同時に行う場合は、インサート成形等の手法とすることができる。なお、金属部５０の形状、大きさは、その用途や仕様に応じて自由に設定できる。
【００６３】
上記の各実施形態では、樹脂製中空筒体１や接合成形体１”の外周は円筒面であるので、型枠１０の内周もそれに対応する円筒面となっているが、樹脂製中空筒体１や接合成形体１”の外周は、これらの実施形態のような円筒面には限定されない。
【００６４】
例えば、外周樹脂成形部３０，４０を成形する前段の樹脂製中空筒体１や接合成形体１”の外周は、その一部に突出部を備えていてもよいし、逆に、その一部に凹部を備えていてもよい。特に、シートワインディング又はフィラメントワインディング等の各種ワインディング法を用いて繊維強化樹脂による外周樹脂成形部３０を形成する場合は、突出部は、周囲と滑らかに接続された状態に膨らむ形状であることが望ましく、凹部は、周囲と滑らかに接続された状態にへこむ形状であることが望ましい。また、樹脂製中空筒体１や接合成形体１”、樹脂製中空筒体３１，４１，５１は、上記の各実施形態のような直管に限定されず、曲管や異形管においても、この発明を適用できる。
【符号の説明】
【００６５】
１，３１，４１，５１  樹脂製中空筒体
１ａ  外周
１ｂ  内周
２  中空部（中央小径中空部）
３  中空部（端部大径中空部）
４  中空部（中央大径中空部）
５  中空部（端部小径中空部）
１０  型枠
１０ａ，１０ｂ  分割型枠
２０  中子
２１  第一中子
２２  第二中子
２１ａ，２２ａ  大径部
２１ｂ，２２ｂ  小径部
２３  第三中子
２４  第四中子
３０  外周樹脂成形部
４０  外周樹脂成形部
４０ａ  円筒部
４０ｂ  突条
４２  第二型枠
４２ａ  本体部
４２ｂ  凹部
５０  金属部
【図１】
2019077156.tif 000003
【図２】
2019077156.tif 000004
【図３】
2019077156.tif 000005
【図４】
2019077156.tif 000006
【図５】
2019077156.tif 000007
【図６】
2019077156.tif 000008